(57)【要約】【課題】  測定精度を向上できる転写・測定装置および転写・測定方法を提供する。【解決手段】  転写・測定装置１１には測定キット１００が用いられる。測定キット１００は、検体を保持する検体保持部１１２と検体が転写される試薬を保持する試薬保持部１０８とを含み、検体と試薬とを隔離して保持する。転写・測定装置１１は、測定キット１００が配置されるキット配置部２４、測定キット１００によって保持された試薬と検体とを接触させて検体を試薬に転写させるための転写部Ｐ、検体が転写された試薬の色濃度を測定するためにキット配置部２４の近傍に設けられる反応測定部Ｄ、および試薬と反応測定部Ｄとの間隔を一定に保つために、試薬保持部１０８を反応測定部Ｄ側に押圧し変位させる押圧部５６を備える。【選択図】        図２
2007163276.tif 000002
【特許請求の範囲】
【請求項１】
検体保持部と試薬保持部とを含む測定キットの前記検体保持部によって保持される検体と前記試薬保持部によって保持される試薬とを接触させて前記検体を前記試薬に転写させるための転写部、
前記検体が転写された前記試薬の反応の程度を測定するための反応測定部、および
前記試薬保持部によって保持された前記試薬と前記反応測定部との間隔を一定に保つための間隔規定手段を備える、転写・測定装置。
【請求項２】
前記間隔規定手段は前記試薬と前記反応測定部との間隔を一定に保つために前記試薬保持部を前記反応測定部側に押圧し変位させる押圧部を含む、請求項１に記載の転写・測定装置。
【請求項３】
前記転写部は前記試薬保持部を前記検体保持部側に押圧することによって転写を行い、かつ前記押圧部は前記転写部の少なくとも一部として兼用される、請求項２に記載の転写・測定装置。
【請求項４】
前記測定キットが配置されるキット配置部をさらに含み、
前記押圧部は、前記キット配置部における前記試薬保持部が配置される箇所に対応し、かつ前記試薬保持部に接触可能な位置に設けられ、
前記キット配置部と前記押圧部との間に形成される空間の高さが、前記測定キットにおける前記試薬保持部が位置する箇所の高さより小さく設定される、請求項２または３に記載の転写・測定装置。
【請求項５】
検体保持部と試薬保持部とを含む測定キットの前記検体保持部によって保持される検体と前記試薬保持部によって保持される試薬とを接触させて前記検体を前記試薬に転写させる転写工程、
前記試薬と反応測定部との間隔を一定に保つ間隔規定工程、および
前記検体が転写された前記試薬の反応の程度を前記反応測定部によって測定する反応測定工程を備える、転写・測定方法。
【請求項６】
前記間隔規定工程では、前記測定キットの前記試薬保持部を前記反応測定部側に押圧し変位させることによって前記試薬と前記反応測定部との間隔を一定に保つ、請求項５に記載の転写・測定方法。
【請求項７】
前記転写工程では前記試薬保持部を前記検体保持部側に押圧することによって転写を行い、
前記転写工程と前記間隔規定工程との押圧方向が等しく、かつ前記間隔規定工程における前記試薬保持部の押圧による変位量が前記転写工程における前記試薬保持部の押圧による変位量よりも小さく設定される、請求項６に記載の転写・測定方法。
【請求項８】
前記間隔規定工程では、前記試薬保持部が配置される箇所の高さが前記測定キットにおける前記試薬保持部が位置する箇所の高さより小さく設定される空間に前記測定キットが配置される、請求項６または７に記載の転写・測定方法。
【発明の詳細な説明】
【技術分野】
【０００１】
この発明は転写・測定装置および転写・測定方法に関し、より特定的には、転写された検体によって変化する試薬の色濃度を測定することによって検体に含まれる酵素の活性を測定する酵素活性測定装置に用いられる、転写・測定装置および転写・測定方法に関する。  
【背景技術】
【０００２】
この種の従来技術の一例が、特許文献１において開示されている。
特許文献１では、試薬・検体配置部に、酵素活性測定試薬を保持した試薬保持部分と、検体とが離隔して配置され、押圧部材によって当該試薬保持部分を押圧して試薬と検体とを接触させて試薬に所定量の検体が転写される。そして、検体が転写されたときから所定の時間が経過したときに濃度測定部によって試薬の色の濃度が測定され、測定された色濃度に基づいて検体に含まれる酵素の活性値が検出される。
【０００３】
この特許文献１では、転写の前後では押圧部材と試薬保持部分とは接触しておらず、転写後に押圧部材を初期位置に戻すと、変形していた試薬保持部分は弾性回復によって元の位置に戻り、その戻った位置において試薬濃度が測定される。
【特許文献１】特開２００５−１４３５００号公報
【発明の開示】
【発明が解決しようとする課題】
【０００４】
しかし、試薬保持部分毎の弾性特性のばらつきや測定時の温度の相違などによって、測定毎に試薬保持部分の戻り位置が異なる結果、濃度測定部と試薬との距離や角度に差が生じてしまい、濃度測定値に誤差が生じ測定精度が良くなかった。
それゆえに、この発明の主たる目的は、測定精度を向上できる転写・測定装置および転写・測定方法を提供することである。
【課題を解決するための手段】
【０００５】
上述の目的を達成するために、請求項１に記載の転写・測定装置は、検体保持部と試薬保持部とを含む測定キットの検体保持部によって保持される検体と試薬保持部によって保持される試薬とを接触させて検体を試薬に転写させるための転写部、検体が転写された試薬の反応の程度を測定するための反応測定部、および試薬保持部によって保持された試薬と反応測定部との間隔を一定に保つための間隔規定手段を備える。
【０００６】
請求項２に記載の転写・測定装置は、請求項１に記載の転写・測定装置において、間隔規定手段は試薬と反応測定部との間隔を一定に保つために試薬保持部を反応測定部側に押圧し変位させる押圧部を含むことを特徴とする。
【０００７】
請求項３に記載の転写・測定装置は、請求項２に記載の転写・測定装置において、転写部は試薬保持部を検体保持部側に押圧することによって転写を行い、かつ押圧部は転写部の少なくとも一部として兼用されることを特徴とする。
【０００８】
請求項４に記載の転写・測定装置は、請求項２または３に記載の転写・測定装置において、測定キットが配置されるキット配置部をさらに含み、押圧部は、キット配置部における試薬保持部が配置される箇所に対応し、かつ試薬保持部に接触可能な位置に設けられ、キット配置部と押圧部との間に形成される空間の高さが、測定キットにおける試薬保持部が位置する箇所の高さより小さく設定されることを特徴とする。
【０００９】
請求項５に記載の転写・測定方法は、検体保持部と試薬保持部とを含む測定キットの検体保持部によって保持される検体と試薬保持部によって保持される試薬とを接触させて検体を試薬に転写させる転写工程、試薬と反応測定部との間隔を一定に保つ間隔規定工程、および検体が転写された試薬の反応の程度を反応測定部によって測定する反応測定工程を備える。
【００１０】
請求項６に記載の転写・測定方法は、請求項５に記載の転写・測定方法において、間隔規定工程では、測定キットの試薬保持部を反応測定部側に押圧し変位させることによって試薬と反応測定部との間隔を一定に保つことを特徴とする。
【００１１】
請求項７に記載の転写・測定方法は、請求項６に記載の転写・測定方法において、転写工程では試薬保持部を検体保持部側に押圧することによって転写を行い、転写工程と間隔規定工程との押圧方向が等しく、かつ間隔規定工程における試薬保持部の押圧による変位量が転写工程における試薬保持部の押圧による変位量よりも小さく設定されることを特徴とする。
【００１２】
請求項８に記載の転写・測定方法は、請求項６または７に記載の転写・測定方法において、間隔規定工程では、試薬保持部が配置される箇所の高さが測定キットにおける試薬保持部が位置する箇所の高さより小さく設定される空間に測定キットが配置されることを特徴とする。
【００１３】
請求項１に記載の転写・測定装置では、検体が転写された試薬と反応測定部との間隔を一定にでき、検体転写後の試薬の位置が測定毎に一定となるので、試薬の反応の程度を安定して測定でき測定精度を向上できる。請求項５に記載の転写・測定方法についても同様である。
【００１４】
請求項２に記載の転写・測定装置では、試薬保持部を押圧して試薬保持部ひいては試薬を反応測定部側に所定位置まで変位させるだけで、簡単に試薬と反応測定部との間隔を一定にできる。したがって、たとえば試薬保持部がばね部材からなる場合であっても、ばね部材毎の弾性特性のばらつきの影響や温度変化による当該弾性特性の変化の影響を抑制でき、試薬の反応の程度の測定精度を向上できる。請求項６に記載の転写・測定方法についても同様である。
【００１５】
請求項３に記載の転写・測定装置では、転写部が試薬保持部を検体保持部側に押圧することによって転写を行うこととし、押圧部を転写部の少なくとも一部として兼用することによって、装置の構成がより簡単になる。
【００１６】
請求項４に記載の転写・測定装置では、キット配置部と押圧部との間に形成される空間の高さが、測定キットにおける試薬保持部が位置する箇所の高さより小さく設定される。このようにすれば、当該空間に試薬保持部が挿入されたとき、試薬保持部が当該空間を構成する押圧部によって押圧されて変位し、それに伴って試薬が反応測定部側の所定の位置まで正確に変位され、試薬と反応測定部との間隔を簡単に一定にできる。
【００１７】
請求項７に記載の転写・測定方法では、転写工程を試薬保持部を検体保持部側に押圧することによって行うこととし、間隔規定工程における試薬保持部の押圧方向を転写工程における押圧方向と等しく、かつ間隔規定工程における試薬保持部の押圧による変位量を転写工程における試薬保持部の押圧による変位量よりも小さく設定することによって、処理工程を単純化できる。また、このようにすれば、１つの押圧部を両工程に兼用できるので、装置の構成が簡単になる。
【００１８】
請求項８に記載の転写・測定方法では、測定キットが配置される空間における試薬保持部が配置される箇所の高さが、測定キットにおける試薬保持部が位置する箇所の高さより小さく設定される。このようにすれば、試薬保持部が所定の箇所に位置するまで当該空間に測定キットが挿入されると、試薬保持部が当該空間内で押圧されて変位し、それに伴って試薬が反応測定部側の所定の位置まで正確に変位され、試薬と反応測定部との間隔を簡単に一定にできる。
【発明の効果】
【００１９】
この発明によれば、試薬の反応の程度を安定して測定でき測定精度を向上できる。
【発明を実施するための最良の形態】
【００２０】
以下、図面を参照してこの発明の実施の形態について説明する。
図１に、この発明が適用される酵素活性測定装置１０を示す。
【００２１】
図２および図３をも参照して、酵素活性測定装置１０は転写・測定装置１１を含み、転写・測定装置１１には、測定キット１００がアダプタ２００に装着された状態でセットされる。
【００２２】
酵素活性測定装置１０は中空状のケース１２を含み、ケース１２の側面には、測定キット１００が装着されたアダプタ２００を挿入するための挿入口１４が設けられている。アダプタ２００は、挿入口１４に矢印Ａ方向から挿入される。ケース１２の上面には、検体転写用のレバー１６、固定解除部材１８、液晶等からなり測定結果等を表示するための表示部２０、およびオペレータ等からの指示用の入力部２２が設けられている。
【００２３】
ケース１２には、転写・測定装置１１を構成するキット配置部２４、キット配置部２４の上部を覆う蓋部２６、位置決め部２８および基板３０が内蔵されている。
【００２４】
キット配置部２４は、挿入される測定キット１００を案内するための溝３２を有する。溝３２の長手方向の挿入口１４側には貫通孔３４が形成され、溝３２の長手方向の奥側には凹部３６が設けられている。貫通孔３４には位置決め部２８が嵌合されている。また、凹部３６には固定部材３８が上下動可能に嵌合され、さらに固定部材３８を上方向に弾発するばね部材４０が設けられている。また、溝３２の固定部材３８の近傍にはストッパ４２が設けられている。
【００２５】
このようなキット配置部２４の上面には板状の蓋部２６が設けられている。蓋部２６は、たとえばＳＵＳをプレス成形することによって得られる。
【００２６】
図４をも参照して、蓋部２６には、キット配置部２４の貫通孔３４および固定部材３８に対応する位置にそれぞれ、貫通孔４４および４６が形成されている。また、蓋部２６上には、貫通孔４４を挟んで板状部材４８および５０が立設され、さらに、貫通孔４４を挟んでガイドピン５２および５４が立設されている。ガイドピン５２および５４にはそれぞれ圧縮ばね（図示せず）が装着されている。
【００２７】
蓋部２６上には、板状の押圧部５６およびレバー１６が設けられている。押圧部５６の両端部にはそれぞれ貫通孔５６ａおよび５６ｂが形成されている。貫通孔５６ａおよび５６ｂにそれぞれガイドピン５２および５４が挿入され、押圧部５６は蓋部２６上に所定の間隔をあけて配置されている。このとき、ガイドピン５２および５４に装着された圧縮ばねによって押圧部５６が上方に付勢されている。そして、レバー１６の貫通孔１６ａが板状部材４８の貫通孔４８ａおよび板状部材５０の貫通孔５０ａに合うようにレバー１６が位置決めされ、これらの貫通孔１６ａ，４８ａおよび５０ａに支持軸５８が挿通されることによって、レバー１６が押圧部５６上に回動可能に設けられている。図２に示すように、押圧部５６は、その下面から突出し試薬保持部１０８（後述）に接触する接触部５６ｃを含む。レバー１６が倒れている状態において、接触部５６ｃの接触面Ｔと蓋部２６の下面とが面一になるように接触部５６ｃはねじ孔５６ｄに螺入されるねじ５７によって保持されている。この実施形態では、間隔規定手段は押圧部５６によって構成され、また、蓋部２６とその上に設けられるレバー１６および押圧部５６等の部材を含んで転写部Ｐが構成される。
【００２８】
このような蓋部２６は５つのねじ５９によってキット配置部２４に固定され、蓋部２６とキット配置部２４と押圧部５６とによってアダプタ２００が挿入可能な空間Ｓが設けられる。空間Ｓの縦断面形状はアダプタ２００の縦断面形状と略同形状に形成されている。
図３に示すように、基板３０上には、ＬＥＤ（発光ダイオード）６０とフォトダイオード６２とが設けられている。
【００２９】
図５をも参照して、位置決め部２８には、ＬＥＤ６０とフォトダイオード６２とを収納する収納部６４が設けられ、収納部６４の上面の一部には突部６６が形成されている。突部６６はキット配置部２４の貫通孔３４に対応する大きさおよび形状に形成され、貫通孔３４に嵌合される。収容部６４内にはＬＥＤ６０を収容するためのＬＥＤ収容部６８とライトガイド７０とが設けられ、ＬＥＤ収容部６８内には図示しない絞り部が配置されている。突出部６６の、ＬＥＤ収容部６８の上端部およびライトガイド７０の上端部に対応する位置にはそれぞれ、発光のための貫通孔７２ａおよび受光のための貫通孔７２ｂが形成され、収容部６４の下面には、ライトガイド７０の下端部に対応する位置に貫通孔７２ｃが形成されている。
【００３０】
このような収容部６４のＬＥＤ収容部６８にＬＥＤ６０が収まり、貫通孔７２ｃにフォトダイオード６２が位置するように、基板３０上に位置決め部２８がハンダ付け等によって取り付けられる。なお、この実施形態では、ＬＥＤ６０から試薬含有部材１０８ｄ（後述）の主面に対して略直角方向に発光され、その反射光がライトガイド７０内を通過してフォトダイオード６２によって受光されるが、ＬＥＤ６０からの発光方向とライトガイド７０の軸方向（受光方向）とは略４５度の角度を有するように設定されることが好ましい。
【００３１】
このように位置決め部２８が取り付けられた基板３０は、突部６６が貫通孔３４に嵌るように位置決めされ、４つのねじ７４によってキット配置部２４に固定されている。この実施形態では、位置決め部２８、基板３０、ならびに基板３０上のＬＥＤ６０およびフォトダイオード６２を含んで反応測定部Ｄが構成される。
【００３２】
ついで、図６を参照して、キット配置部２４の固定部材３８は、平坦部３８ａと爪部３８ｂとを含み、上下方向に移動可能に設けられている。
【００３３】
アダプタ２００の先端部２１２（後述）が爪部３８ｂを越えてフック４２に当接するまで挿入されると、アダプタ２００の先端部２１２は爪部３８ｂと係合される。これによってアダプタ２００および測定キット１００が検体転写時や濃度測定時に溝３２の長手方向にずれるのを防止できる。また、キット配置部２４と蓋部２６とによってアダプタ２００および測定キット１００の上下方向の動きが拘束される。
【００３４】
また、固定部材３８に対応するように、蓋部２６の貫通孔４６には固定解除部材１８が嵌入可能である。固定解除部材１８は平坦部３８ａを押圧する押圧部１８ａとアダプタ２００を後退させる再係合防止部１８ｂとを含む。押圧部１８ａが平坦部３８ａを下方向に押圧し、再係合防止部１８ｂがアダプタ２００を後退させることによって、アダプタ２００の先端部２１２と爪部３８ｂとの再係合が防止される。
【００３５】
このようにモジュール化された転写・測定装置１１は、たとえば蓋部２６を５つのねじによってケース１２に固定することによって、ケース１２の所定の位置に設けられている。
【００３６】
ついで、図７および図８を参照して、測定キット１００およびアダプタ２００について説明する。
測定キット１００は短冊状のホルダー１０２を含み、ホルダー１０２には長手方向に延びる貫通孔１０３が設けられている。ホルダー１０２は、それぞれ短冊状をしかつ縦断面略コ字状のホルダー上部１０２ａとホルダー下部１０２ｂとを含む。ホルダー上部１０２ａの一方側面および他方側面にはそれぞれ、複数の嵌合突部１０４ａおよび突部１０６ａが設けられ、ホルダー下部１０２ｂの一方側面および他方側面にはそれぞれ、複数の嵌合孔１０４ｂおよび突部１０６ｂが設けられている。嵌合突部１０４ａが嵌合孔１０４ｂに嵌合され、突部１０６ａと１０６ｂとが対応する。これによって、ホルダー上部１０２ａとホルダー下部１０２ｂとが一体化されたホルダー１０２を形成でき、ホルダー１０２の両側面にそれぞれ複数の突部１０４および１０６が形成される。ホルダー上部１０２ａおよびホルダー下部１０２ｂは、生分解性プラスチックをインジェクション成形することによって形成される。
【００３７】
ホルダー上部１０２ａの中央部やや前方寄りには、板ばね状の試薬保持部１０８が形成されている。試薬保持部１０８は、平坦部１０８ａと、その両端の湾曲部１０８ｂと、平坦部１０８ａの上面から突出する縦断面略台形状の２つの突部（リブ）１０８ｃと、平坦部１０８ａの下面に設けられるたとえばシート状の試薬含有部材１０８ｄとを含み、試薬含有部材１０８ｄには試薬が含有される（図２等参照）。突部１０８ｃの上面は押圧部５６の接触部５６ｃと面接触可能なように平坦状に形成されている。
【００３８】
また、ホルダー下部１０２ｂのうち、試薬含有部材１０８ｄに対応する位置には、長方形状の貫通孔１１０が形成され（図２等参照）、貫通孔１１０を介して試薬の色濃度測定が可能となる。
【００３９】
また、図７に示すように、測定キット１００はたとえばポリエチレンテレフタレート（ＰＥＴ）からなるシート状の検体保持部１１２を含む。検体保持部１１２は略短冊状に形成され、その上面端部にたとえば不織布などからなるシート状の検体含有部材１１２ａを有し、当該端部からやや中央寄りには貫通孔１１０と略同寸法の貫通孔１１４が形成されている。検体含有部材１１２ａは、たとえば唾液などの検体を含有できる。
【００４０】
検体保持部１１２は、検体含有部材１１２ａの形成面を上向きにした状態でホルダー１０２の貫通孔１０３に挿入され、初期的には検体含有部材１１２ａと貫通孔１１４とが対向するように位置決めされる。
【００４１】
このような測定キット１００は図７に示すようなアダプタ２００に装着される。
アダプタ２００は、たとえばポリカーボネート、ＡＢＳアロイまたはＡＢＳをインジェクション成型または切削加工することによって得られる。アダプタ２００は、ホルダー１０２ひいては測定キット１００を装着するための凹部２０２を有する。凹部２０２はホルダー１０２の外形にほぼ合致するように形成され、凹部２０２には、ホルダー１０２の突部１０４および１０６を受けるための複数の凹状の受け部２０４および２０６が形成され、これによって測定キット１００の装着時の前後方向の動きが拘束される。また、アダプタ２００の凹部２０２の前側には貫通孔２０８が形成されている。貫通孔２０８は、アダプタ２００へ測定キット１００を装着したとき試薬含有部材１０８ｄを露出できるような長方形状に形成されている。
【００４２】
さらに、アダプタ２００の後端部片側には、転写・測定装置１０へのアダプタ２００の抜き差しを容易にするための把持部２１０が設けられている。そして、アダプタ２００には、略２．５ｍｍの幅を有する先端部２１２を形成できるように略５．５×１４．０ｍｍの貫通孔２１４が形成されている。貫通孔２１４内に爪部３８ｂが入ることによって先端部２１２と爪部３８ｂとが係合され、アダプタ２００をロックできる。
【００４３】
次に、上述した転写・測定装置１１による動作について説明する。
まず、試薬含有部材１０８ｄと貫通孔１１４とが対向するようにホルダー１０２に検体保持部１１２が装着され、その状態の測定キット１００がアダプタ２００に装着される。
【００４４】
そのようなアダプタ２００ひいては測定キット１００が挿入口１４から転写・測定装置１１に挿入され、アダプタ２００ないし測定キット１００が固定部材３８によって固定される。このとき、先端部２１２がストッパ４２に当接するまでアダプタ２００が押し込まれると、アダプタ２００の貫通孔２１４に爪部３８ｂが入り先端部２１２と爪部３８ｂとが係合され、測定キット１００が測定位置にロックされる。
【００４５】
図９（ａ）からわかるように、押圧部５６の下面（接触部５６ｃの接触面Ｔ）は空間Ｓを構成する蓋部２６の下面と面一に形成され、これによって、測定キット１００を測定位置まで円滑に挿入できる。なお、図９および図１２では、図面の複雑化を防ぐためにアダプタ２００の図示は省略されている。
【００４６】
また、図９（ａ）からわかるように、キット配置部２４と押圧部５６との間に形成される空間Ｓ１の高さすなわち接触部５６ｃの接触面Ｔまでの高さＨは、測定キット１００における試薬保持部１０８の突部１０８ｃの高さより小さく設定されている。言い換えれば、測定キット１００が配置される空間Ｓにおいて試薬保持部１０８が配置される箇所の高さＨが、測定キット１００において試薬保持部１０８が位置する箇所の高さより小さく設定されている。したがって、図９（ｂ）に示すように、試薬保持部１０８が押圧部５６の下に位置するまで空間Ｓに測定キット１００が挿入されると、測定キット１００の試薬保持部１０８が規定量（この実施形態では略０．３ｍｍ）変形される。
【００４７】
図９（ｂ）に示す状態で、ＬＥＤ６０から貫通孔１１４を通して試薬に光が照射され、後述の反応測定工程と同様に発色前の試薬の色濃度が測定される。この色濃度と検体が転写された試薬の色濃度との差から酵素活性値が算出されることによって、測定キットの寸法精度等に起因する測定値のばらつきをより確実に防止することができる。
【００４８】
その後、試薬含有部材１０８ｄと検体含有部材１１２ａとが、すなわち試薬と検体とが隔離されかつ対向するような位置まで、検体保持部１１２が引き出される。
【００４９】
そして、転写工程において、図９（ｃ）に示すように、レバー１６を回動させると押圧部５６が降下し、測定キット１００の試薬保持部１０８が押圧されさらに変形して検体保持部１１２に接触し、検体が試薬に転写される。このとき、検体を規定量転写させるために、レバー１６を回動させて一定時間が経過した後、図９（ｄ）に示すように元の位置に戻す。すると、押圧部５６とともに測定キット１００の試薬保持部１０８は上方に移動し転写前の位置すなわち図９（ｂ）に示す位置まで戻る。
【００５０】
この戻り位置は、完全な戻り位置ではなく、試薬保持部１０８が押圧部５６によって押圧され規定量変形された位置であるので、測定毎に戻り位置が一定となる。すなわち、間隔規定工程によって、試薬と反応測定部Ｄとの位置関係を常に一定とすることができ、測定誤差を小さくすることができる。
【００５１】
その後、反応測定部Ｄによって試料の色濃度を測定可能な位置まで検体保持部１１２が引き出される。これによって濃度測定が円滑になる。なお、検体保持部１１２を引き出すかわりに、検体保持部１１２の貫通孔１１４が試薬含有部材１０８ｄの真下に位置するまで、検体保持部１１２をホルダー１０２内へ再び押し込んでもよい。
【００５２】
そして、反応測定工程において、ＬＥＤ６０からの光が試薬に照射され、その反射光がフォトダイオード６２によって受光される。フォトダイオード６２は受光量に応じた電流を出力し、その出力電流はアンプによって電圧に変換・増幅される。このようにして試薬の色濃度に応じた電圧値が得られ、試薬の色濃度が測定される。
【００５３】
試薬の色濃度の測定が終了した後、固定解除部材１８を押し下げることによって、押圧部１８ａが固定部材３８の平坦部３８ａを押し下げるとともに再係合防止部１８ｂがアダプタ２００を後退させ、アダプタ２００ひいては測定キット１００の固定が解除される。このとき、アダプタ２００の長手方向における再係合防止部１８ｂの位置が、アダプタ２００の貫通孔２１４よりわずかに後方であるので、再係合防止部１８ｂが貫通孔２１４に挿入されると貫通孔２１４の後端縁に作用しアダプタ２００がわずかに後方に移動する。したがってその後、固定解除部材１８を上昇させアダプタ２００から離しても、爪部３８ｂが再び貫通孔２１４に嵌入されることはなく、円滑にアダプタ２００を転写・測定装置１１から引き抜くことができる。
【００５４】
そして、図示しないＣＰＵによって、測定された色濃度に基づいて検体に含まれる酵素（この実施形態では、唾液アミラーゼ）の活性値が検出され、それによって被検者のストレスの程度が判定される。
【００５５】
このような転写・測定装置１１によれば、検体が転写された試薬と反応測定部Ｄ、ひいては試薬とＬＥＤ６０およびフォトダイオード６２との間隔を一定にでき、検体転写後の試薬の位置が測定毎に一定となるので、試薬の色濃度を安定して測定でき測定精度を向上できる。
【００５６】
また、試薬保持部１０８を押圧して試薬を反応測定部Ｄ側に所定位置まで変位させるだけで、簡単に試薬と反応測定部Ｄとの間隔を一定にできる。したがって、試薬保持部１０８を構成するばね部材毎の弾性特性のばらつきの影響や温度変化による当該弾性特性の変化の影響を抑制でき、試薬の色濃度の測定精度を向上できる。
【００５７】
キット配置部２４に転写部Ｐと反応測定部Ｄとが固定されているので、検体転写時に、がたつくことはなく所定の押圧力の再現性を高くでき、転写ストロークを一定にすることができる。これによって転写量のばらつきを小さくでき試薬の色濃度の測定精度をさらに向上できる。また、部品点数を少なくでき、構造が簡単になる。
【００５８】
さらに、固定部材３８によってキット配置部２４にアダプタ２００ひいては測定キット１００を固定することによって、試薬保持部１０８に保持される試薬と反応測定部Ｄとの間隔をより簡単に一定にすることができる。
【００５９】
また、試薬保持部１０８の非押圧時における突部１０８ｃの上面高さが、濃度測定時においてキット配置部２４と押圧部５６との間に形成される空間Ｓ１の高さＨ（図９（ａ）に示す）より大きく設定されるので、当該空間Ｓ１に試薬保持部１０８が挿入されたとき、試薬保持部１０８が当該空間Ｓ１の天井（上限）を構成する押圧部５６の下面（接触部５６ｃの接触面Ｔ）によって押圧されて変形し、それに伴って試薬が反応測定部Ｄ側の所定の位置まで正確に変位され、試薬と反応測定部Ｄとの間隔を簡単に一定にできる。
【００６０】
さらに、間隔規定工程における試薬保持部１０８の押圧方向を転写工程における押圧方向と等しくし、かつ間隔規定工程における試薬保持部１０８の押圧による変位量を転写工程における試薬保持部１０８の押圧による変位量よりも小さく設定することによって、処理工程を単純化できる。また、このようにすれば、１つの押圧部５６を両工程に兼用でき、すなわち、押圧部５６を転写部Ｐの少なくとも一部として兼用でき、装置の構造がより簡単になる。
【００６１】
このような転写・測定装置１１に関する一実験例について説明する。
ここでは、濃度測定時において、図９（ｄ）に示すように押圧部５６で試薬保持部１０８を押圧し変形させる場合（転写・測定装置１１に相当）と、押圧部５６で試薬保持部１０８を押圧しない場合（間隔規定手段を有さない比較例に相当）とについて、それぞれ色濃度を測定した。
【００６２】
実験では、試薬保持部１０８の下面に、試薬含有部材１０８ｄの代わりに白基準の色見本（パントン色見本）を貼り付け、通常処理時と同様に検体転写動作を行った後に、色濃度すなわちアンプからの出力電圧の時間変化を測定した。これを１０回繰り返した。そのうちの奇数回目の実験結果を図１０および図１１に示す。図１０には比較例による実験結果を示し、図１１にはこの発明の実施形態の転写・測定装置１１による実験結果を示す。
【００６３】
図１０に示すように、比較例では、出力電圧が時間とともに低下していくことがわかる。これは、転写によって変形した色見本部分が徐々に元の位置に復元していくことを示す。
【００６４】
これに対して、図１１に示すように、転写・測定装置１１では、転写操作後の出力電圧はほとんど変化せず略一定している。これは、押圧によって、予め変形させた量まで色見本部分が復元しその状態を維持していることを示す。
【００６５】
以上より、転写・測定装置１１によれば、押圧によって色見本部分の位置を安定させ、濃度測定の精度を向上できることがわかる。
【００６６】
また、図１２に変形例を示す。
図１２に示す変形例では、レバー１６ａは押圧部５６の下面（接触部５６ｃの接触面Ｔ）の高さを３段階の所望の高さに調整できるように構成され、測定キット１００のホルダー１０２の試薬保持部１０８には突部１０８ｃは形成されていない。
【００６７】
この場合、図１２（ａ）に示すように、測定キット１００が転写・測定装置１１に挿入され、図１２（ｂ）に示す所定の測定位置に配置される。そして、レバー１６ａを、図１２（ｂ）に示す第１の位置まで回動させて試薬保持部１０８を所定量変形させ、その状態で発色前の試薬の色濃度が測定される。その後、図１２（ｃ）に示すように、試薬含有部材１０８ｄと検体含有部材１１２ａとが、すなわち試薬と検体とが隔離されかつ対向するような位置まで、検体保持部１１２が引き出される。そして、レバー１６ａをさらに図１２（ｃ）に示す第２の位置まで回動させて試薬保持部１０８をさらに変形させ、試薬と検体とを接触させて検体が転写される。検体転写後には、図１２（ｄ）に示すように、図１２（ｂ）と同じ第１の位置までレバー１６ａを戻す。
【００６８】
この変形例では、試薬保持部１０８に突部を設けることなく、検体転写後の押圧部５６の下面の位置を一定にできる。
【００６９】
また、他の変形例として、レバー１６と押圧部５６とを鉛直方向に延びる軸周りに回転させることによってキット配置部２４に対して進退できるように構成してもよい。この場合たとえば、検体転写時において、レバー１６と押圧部５６とを当該軸に対して右廻りに所定角度分回転させると、それに伴ってレバー１６と押圧部５６とが降下し、押圧部５６が試薬保持部１０８を変形させ試薬を所定の位置まで変位させる。その後、レバー１６を回動させて押圧部５６をさらに押し下げることによって試薬保持部１０８がさらに変形され、検体が試薬に転写される。検体転写後、レバー１６を逆方向に回動させ元の位置まで戻すと、押圧部５６も元の所定の位置まで戻る。これによって、検体転写後の押圧部５６の位置を安定化できる。
【００７０】
さらに、他の変形例として、測定キット１００の試薬保持部１０８の上面に突部１０８ｃを設けず、試薬保持部１０８の両端の突出した湾曲部１０８ｂの短手方向の幅を、試薬保持部１０８の中央の平坦部１０８ａの幅より小さくする。そして、押圧部５６の下面に、湾曲部１０８ｂは押圧されることなく通過できるが平坦部１０８ｂは押圧されるような幅および高さの溝を形成したり、蓋部２６に平坦部１０８ａを押圧可能なリブを設ける。これによれば、測定キット１００を転写・測定装置１１に挿入したとき、押圧部５６の下面や蓋部２６のリブが試薬保持部１０８の平坦部１０８ａのみを押圧できる。
【００７１】
また、検体転写時には、レバーではなく指で押圧部５６を押して検体を試薬に転写するようにしてもよい。
【００７２】
なお、上述の実施形態では、検体転写時には、試薬保持部を検体保持部側に変形させることによって検体と試薬とを接触させる場合について述べたが、これに限定されず、検体保持部を試薬保持部側に変形させる、または検体保持部および試薬保持部の双方を他方側に変形させることによって、検体と試薬とを接触させるようにしてもよい。
【００７３】
この発明は、アミラーゼ以外の酵素、唾液以外の血液、尿等の任意の検体を用いる場合においても適用できる。
【００７４】
反応測定部Ｄの光源としては、ＬＥＤのみならず、レーザ、ハロゲンランプ、タングステンランプなどを用いることができる。
【００７５】
上述の実施形態において、反応測定部Ｄでは、試薬の色濃度を測定したが、試薬含有部材１０８ｄに含まれる試薬の反応の程度を検出できるならば、他の方法を用いてもよい。
【図面の簡単な説明】
【００７６】
【図１】この発明の一実施形態の転写・測定装置、測定キットおよびアダプタを示す斜視図である。
【図２】転写・測定装置の要部を示す断面図解図である。
【図３】転写・測定装置の内部構造を示す分解斜視図である。
【図４】蓋部および転写部を示す分解斜視図である。
【図５】位置決め部を示す断面図解図である。
【図６】固定部材および固定解除部材を示す断面図解図である。
【図７】測定キットおよびアダプタを示す図解図である。
【図８】ホルダーを示す斜視図である。
【図９】この発明の一実施形態の動作を説明するための図解図である。
【図１０】一実験例における比較例の実験結果を示すグラフである。
【図１１】一実験例における転写・測定装置の実験結果を示すグラフである。
【図１２】この発明に係る変形例およびその動作を説明するための図解図である。
【符号の説明】
【００７７】
１０      酵素活性測定装置
１１      転写・測定装置
１４      挿入口
１６，１６ａ      レバー
１８      固定解除部材
１８ａ，５６      押圧部
２４      キット配置部
２８      位置決め部
３０      基板
３８      固定部材
５６ｃ      接触部
６０      ＬＥＤ
６２      フォトダイオード
６６，１０４，１０６，１０６ａ，１０６ｂ，１０８ｃ      突部
１００      測定キット
１０２      ホルダー
１０８      試薬保持部
１０８ｄ      試薬含有部材
１１２      検体保持部
１１２ａ      検体含有部材
２００      アダプタ
Ｄ      反応測定部
Ｈ      空間の高さ
Ｐ      転写部
Ｓ，Ｓ１      空間
Ｔ      接触部の接触面
【図１】
2007163276.tif 000003
【図２】
2007163276.tif 000004
【図３】
2007163276.tif 000005
【図４】
2007163276.tif 000006
【図５】
2007163276.tif 000007
【図６】
2007163276.tif 000008
【図７】
2007163276.tif 000009
【図８】
2007163276.tif 000010
【図９】
2007163276.tif 000011
【図１０】
2007163276.tif 000012
【図１１】
2007163276.tif 000013
【図１２】
2007163276.tif 000014